(57)【特許請求の範囲】
【請求項１】
直流電源と；
直流電源により充電されるバッテリと；
バッテリを急速充電する電流が流れる抵抗を有する第１の充電回路および前記抵抗よりも抵抗値が大きくバッテリをトリクル充電する電流が流れる抵抗を有する第２の充電回路で構成され、第１の充電回路および第２の充電回路が直流電源およびバッテリに選択的に電気接続されるように構成された充電回路と；
直流電源への停電を検出する停電検出手段と；
停電検出手段が停電を検出している期間、バッテリに接続されてバッテリを電源として動作する点灯回路と；
点灯回路によって点灯されるランプと；
ランプの点灯時間を計測する計測タイマ手段と；
停電が解除されたときに、計測タイマ手段により計測されたランプ点灯時間が第１の所定期間以上経過しているときには、バッテリを第１の充電回路に電気接続させて第１の所定期間の数倍から数十倍の間に設定された第２の所定期間にわたって直流電源により充電させ、さらに第２の充電回路に電気接続させて充電させ、第１の所定期間を経過していないときには、バッテリを第２の充電回路に電気接続させて充電させるように制御する制御手段と；
を具備していることを特徴とする非常用点灯装置。
【請求項２】
請求項１記載の非常用点灯装置と；
非常用点灯装置が配設された照明装置本体と；
を具備していることを特徴とする非常用照明装置。
【発明の詳細な説明】
【０００１】
【発明の属する技術分野】
本発明は、バッテリによりランプが点灯される非常用点灯装置および非常用照明装置に関する。
【０００２】
【従来の技術】
誘導灯、非常灯などの非常用照明装置は、通常電源の停電時に非常用のバッテリでランプを規定時間にわたって正常に点灯しなければならない。そのため、バッテリの寿命を点検する必要があり、手動または自動の点検用スイッチを用いて強制的に停電させてバッテリを放電させ、バッテリによるランプ点灯状態を点検している。そして、点検後は、バッテリを充電させて通常電源の停電に備えている。
【０００３】
この種の非常用照明装置は、例えば特開昭５８−１６４１９０号公報(従来技術)に開示され、その非常用点灯装置の構成を図５に示す。図５に示す非常用点灯装置３０は、非常用電源回路３１、ランプ点灯回路３２、切換回路３３および非常用電源点検回路３４などから構成されている。非常用電源点検回路３４は、手動点検スイッチ３５、タイマ回路３６を作動させる自動点検スイッチ３７および蓄電池（バッテリ）３８の端子電圧を検出する電圧検出回路３９を具備している。
【０００４】
非常用点灯装置３０は、手動点検スイッチ３５が操作され、または、自動点検スイッチ３７が動作して交流電源４０が強制的に停電されると、リレーコイル３３ａが消勢してリレー接点３３ｂが切り換わり、蓄電池３８とランプ点灯回路３２が接続される。そして、タイマ回路３６の設定時間経過後に停電が解除され、蓄電池３８およびランプ点灯回路３２は交流電源４０に接続される。そして、電圧検出回路３９は、蓄電池３８の端子電圧を検出し、端子電圧が基準値以下の場合は、交流電源４０と急速充電回路４１とを接続して蓄電池３８を急速充電させ、端子電圧が基準値以上の場合は、交流電源４０とトリクル充電回路４２とを接続して蓄電池３８を長時間充電させるようにする。非常用点灯装置３０は、蓄電池３８の端子電圧に応じて、蓄電池３８を急速充電またはトリクル充電させるものである。
【０００５】
【発明が解決しようとする課題】
ところで、蓄電池は、空の充電状態（端子電圧が零）から充電されても、図６に示すように、端子電圧は満充電電圧値近くまで急速に上昇し、その後、長時間充電によって一定の満充電電圧値まで上昇していく。そして、端子電圧が基準値以上であっても、充電時間が短いと蓄電池には電荷が蓄積されておらず充電容量が充分でないので、図中、破線で示すように、ランプ点灯による放電により急激に端子電圧が低下するものである。また、蓄電池の電圧値は、雰囲気温度または経年劣化により変化する。すなわち、蓄電池の電圧値は、雰囲気温度が高いと低くなり、雰囲気温度が低いと高くなり、セミショートモード（端子の劣化）になると低くなり、ドライアップモード（電解液の漏洩）になると高くなる。
【０００６】
したがって、従来技術の非常用点灯装置３０は、蓄電池３８の基準値が設定しづらいという欠点を有し、基準値を満充電電圧値よりもある程度の低い電圧に設定する必要がある。そして、蓄電池３８が急速充電されて基準値以上の端子電圧となった後のトリクル充電中に、トリクル充電開始後の短期間のうちに停電が発生すると、蓄電池３８の充電容量が不十分の状態で蓄電池３８とランプ点灯回路３２が接続され、蓄電池３８が放電されるという欠点を有する。
【０００７】
本発明は、バッテリの充電容量が急速に回復できる非常用点灯装置および非常用照明装置を提供することを目的とする。
【０００８】
【課題を解決するための手段】
請求項１に記載の非常用点灯装置の発明は、直流電源と；直流電源により充電されるバッテリと；バッテリを急速充電する電流が流れる抵抗を有する第１の充電回路および前記抵抗よりも抵抗値が大きくバッテリをトリクル充電する電流が流れる抵抗を有する第２の充電回路で構成され、第１の充電回路および第２の充電回路が直流電源およびバッテリに選択的に電気接続されるように構成された充電回路と；直流電源への停電を検出する停電検出手段と；停電検出手段が停電を検出している期間、バッテリに接続されてバッテリを電源として動作する点灯回路と；点灯回路によって点灯されるランプと；ランプの点灯時間を計測する計測タイマ手段と；停電が解除されたときに、計測タイマ手段により計測されたランプ点灯時間が第１の所定期間以上経過しているときには、バッテリを第１の充電回路に電気接続させて第1の所定期間の数倍から数十倍の間に設定された第２の所定期間にわたって直流電源により充電させ、さらに第２の充電回路に電気接続させて充電させ、第１の所定期間を経過していないときには、バッテリを第２の充電回路に電気接続させて充電させるように制御する制御手段と；を具備している。
【０００９】
本発明および以下の発明において、特に言及しない限り用語の定義および技術的意味は次のとおりとする。
【００１０】
直流電源は、バッテリ、直流電源装置、商用交流電圧を整流または整流平滑したもの、あるいは、整流平滑回路にチョッパ回路を接続して平滑したものなど、直流電圧を供給するものであればよい。
【００１１】
計測タイマ手段によって計測されるランプの点灯時間は、ランプがバッテリを電源として動作する点灯回路によって点灯されている時間をいう。
【００１２】
ランプは、バッテリを電源として動作する点灯回路によって点灯される以外は消灯していてもよく、あるいは、バッテリ以外の電源によって点灯されていてもよいものである。
【００１３】
制御手段は、停電が解除されて直流電源が復帰したときに、計測タイマ手段により計測されたランプ点灯時間が第１の所定期間以上経過しているときには、バッテリ容量が非常に低い状態であるので、直流電源およびバッテリを第１の充電回路に電気接続させ、第２の所定期間にわたって急速充電させてバッテリ容量を急速に回復させる。その後、さらに直流電源およびバッテリを第２の充電回路に電気接続させ、バッテリを直流電源によりトリクル充電させる。ランプ点灯時間が第１の所定期間を経過していないときには、バッテリ容量が高い状態であるので、直流電源およびバッテリを第２の充電回路に電気接続させ、バッテリを直流電源によりトリクル充電させる。
【００１４】
本発明によれば、ランプ点灯時間が第１の所定期間以上経過しているときには、バッテリを直流電源により第２の所定期間にわたって急速充電させ、さらにトリクル充電させるので、バッテリの充電容量を短期間の内に回復させることができるとともに過充電を防止できる。また、ランプ点灯時間が第１の所定期間を経過していないときには、バッテリを直流電源によりトリクル充電させるので、バッテリは長期間にわたって充電され過充電を防止することができる。
【００１８】
請求項２に記載の非常用照明装置の発明は、請求項１記載の非常用点灯装置と；非常用点灯装置が配設された照明装置本体と；を具備している。
【００１９】
非常用照明装置は、壁面に埋め込まれる誘導灯など、本発明の非常用点灯装置と、非常用点灯装置が配設された照明装置本体とを具備する非常用照明装置であればよい。
【００２０】
本発明によれば、バッテリの充電容量を短期間の内に回復させることができる非常用点灯装置を配設した非常用照明装置を提供することができる。
【００２１】
【発明の実施の形態】
以下、本発明の一実施の形態について、図１〜図４を参照して説明する。
【００２２】
図１は、本発明の第１の実施形態を示す非常用点灯装置の回路図である。図中、１は非常用点灯装置、２は直流電源、３は充電回路、４は制御手段、５は計測タイマ手段、６は点灯回路、７はランプ、８は時間検出回路である。
【００２３】
図１において、商用交流電源Ｖｓには常閉のスイッチＳＷ１およびトランスＴ１を介して整流器ＤＢ１の入力端子が接続され、整流器ＤＢ１の出力端子間には平滑用コンデンサＣ１が接続されている。整流器ＤＢ１および平滑用コンデンサＣ１は商用交流電源Ｖｓから給電された交流電圧を整流平滑する。商用交流電源Ｖｓと整流器ＤＢ１および平滑用コンデンサＣ１は直流電源２を構成し、平滑用コンデンサＣ１の両端電圧は、直流電源２の出力電圧を形成している。
【００２４】
スイッチＳＷ１は手動スイッチまたは自動スイッチのいずれでもよく、スイッチＳＷ１がオン（開放）されると、商用交流電源Ｖｓと整流器ＤＢ１の電気的接続が遮断される。すなわち、スイッチＳＷ１は強制的に停電をさせるものである。トランスＴ１は、商用交流電源Ｖｓの交流電圧を降圧して整流器ＤＢ１の入力端子に入力させる。なお、トランスＴ１の電圧比は、後述のランプ７の定格特性などに応じて適宜設定されるものである。
【００２５】
また、スイッチＳＷ１とトランスＴ１の間において、トランスＴ１の入力巻線間に停電検出手段としてのリレーＲｙ１のリレーコイルが接続されている。リレーＲｙ１は、通常、商用交流電源Ｖｓにより付勢しているが、商用交流電源Ｖｓの停電やスイッチＳＷ１のオン操作によって消勢する。リレーＲｙ１は、直流電源２への停電を検出するものである。
【００２６】
直流電源２の出力側、すなわち、平滑用コンデンサＣ１の両端には、充電回路３およびリレーＲｙ１のリレー接点Ｒｙ１−ａ，Ｒｙ１−ｃを介してバッテリＢ１が接続されている。バッテリＢ１の正極側はリレーＲｙ１の共通接点Ｒｙ１−ｃに接続され、負極側は直流電源２の負極端子に接続されている。通常時、リレーＲｙ１は付勢されているので、共通接点Ｒｙ１−ｃと常開接点Ｒｙ１−ａは接続され、バッテリＢ１は直流電源２により充電されている。
【００２７】
充電回路３は、第１の充電回路３ａと第２の充電回路３ｂおよび後述するリレーＲｙ２のリレー接点Ｒｙ２−ｃ，Ｒｙ２−ａ，Ｒｙ２−ｂから構成されている。そして、第１の充電回路３ａは抵抗Ｒ１で、第２の充電回路３ｂは抵抗Ｒ２で形成され、抵抗Ｒ１は抵抗Ｒ２よりも非常に小さな抵抗値である。抵抗Ｒ１の一端はリレーＲｙ２の常開接点Ｒｙ２−ａに接続され、抵抗Ｒ２の一端は常閉接点Ｒｙ２−ｂに接続されている。そして、リレーＲｙ２の共通接点Ｒｙ２−ｃは直流電源２の正極端子に接続されている。また、抵抗Ｒ１の他端および抵抗Ｒ２の他端は接続されてリレーＲｙ１の常開接点Ｒｙ１−ａに接続されている。
【００２８】
第１の充電回路３ａおよび第２の充電回路３ｂは、後述するリレーＲｙ２の動作によって選択的に直流電源２およびバッテリＢ１に電気接続される。そして、第１の充電回路３ａでは、抵抗Ｒ１の抵抗値が非常に小さいので大電流が流れやすく、バッテリＢ１は急速充電される。また、第２の充電回路３ｂでは、抵抗Ｒ２の抵抗値が非常に大きいので小電流が流れやすく、バッテリＢ１はトリクル充電されやすくなっている。
【００２９】
また、平滑用コンデンサＣ１の両端には、スイッチ素子としてのＰＮＰ型トランジスタＴｒと限流用抵抗Ｒ３および発光ダイオードＬＥＤの直列回路が接続されている。トランジスタＴｒのベースはベース抵抗Ｒ４を介してリレーＲｙ１の常開接点Ｒｙ１−ａに接続されている。通常時、すなわち、停電状態でないときには、平滑用コンデンサＣ１の両端に直流電圧が発生している。そして、平滑用コンデンサＣ１の正極端子からトランジスタＴｒのエミッタ、ベースおよびベース抵抗Ｒ４を介してリレーＲｙ１の常開接点Ｒｙ１−ａ側に電流が流れてトランジスタＴｒがオンする。トランジスタＴｒがオンすると、平滑用コンデンサＣ１の正極端子からトランジスタＴｒのエミッタ、コレクタ、限流用抵抗Ｒ３、発光ダイオードＬＥＤおよびコンデンサＣ１の負極端子に電流が流れて発光ダイオードＬＥＤが発光する。停電状態でないときには、バッテリＢ１は直流電源２により充電されているので、発光ダイオードＬＥＤの発光は、バッテリＢ１が直流電源２により充電されていることを表示している。
【００３０】
バッテリＢ１には、リレーＲｙ１の共通接点Ｒｙ１−ｃ，常閉接点Ｒｙ１−ｂを介して、点灯回路６が接続され、点灯回路６の出力側にはランプとしての蛍光ランプ７が接続されている。点灯回路６は、例えば高周波電力を出力する高周波点灯回路であり、リレーＲｙ１が消勢されると、共通接点Ｒｙ１−ｃと常閉接点Ｒｙ１−ｂが接続されてバッテリＢ１に接続される。リレーＲｙ１が消勢されている期間、すなわち、リレーＲｙ１が停電を検出している期間、点灯回路６は、バッテリＢ１を電源として動作して蛍光ランプ７を点灯させる。
【００３１】
また、バッテリＢ１と並列に時間検出回路８が接続され、さらに、バッテリＢ１には、リレーＲｙ１の共通接点Ｒｙ１−ｃ，常閉接点Ｒｙ１−ｂを介して、カウンタＣが接続されている。カウンタＣは、蛍光ランプ７の点灯時間、すなわち、バッテリＢ１の放電時間をカウントして時間検出回路８に送出する。時間検出回路８の出力端子は制御手段としての制御回路４の入力端子と接続されており、時間検出回路８はカウンタＣのカウント数が第１の所定期間以上になると、信号を制御回路４に出力する。第１の所定期間は、蛍光ランプ７が長時間点灯され、バッテリが長時間放電されている期間である。時間検出回路８およびカウンタＣは、ランプとしての蛍光ランプ７の点灯時間を計測する計測タイマ手段５を構成している。なお、時間検出回路８にはバックアップ電源が内蔵されており、バッテリＢ１の両端電圧が所定電圧以下に低下しても動作するように構成されている。また、制御回路４への信号の出力は、カウンタＣよりカウントの入力が停止すると、所定期間後にリセットするように構成されている。
【００３２】
制御手段としての制御回路４は、その電源端子を平滑用コンデンサＣ１の両端に接続して直流電源２より給電されて動作している。また、内部に図示しないバッテリを備え、停電時にはバッテリにより給電されて動作している。制御回路４は、図示しないＣＰＵ，ＲＯＭ，ＲＡＭなどを備えたマイコンやリレーＲｙ２、タイマＴ１などを具備している。また、停電検出手段としてのリレーＲｙ１の図示しないリレー接点を具備し、停電の解除を検出するように構成されている。そして、停電の解除が検出されて、計測タイマ手段５を構成する時間検出回路８から信号が入力されると、リレーＲｙ２を付勢させると共に、タイマＴ１を動作させる。リレーＲｙ２が付勢すると、リレーＲｙ２の共通接点Ｒｙ２−ｃと常開接点Ｒｙ２−ａが接続して、第１の充電回路３ａが直流電源２およびバッテリＢ１に接続される。そして、タイマＴ１が第２の所定期間を計時しタイムアップすると、リレーＲｙ２を消勢させ、共通接点Ｒｙ２−ｃと常閉接点Ｒｙ２−ｂが接続して、第２充電回路３ｂが直流電源２およびバッテリＢ１に接続される。また、時間検出回路８から信号が入力されないと、リレーＲｙ２を消勢した状態とするので、第２充電回路３ｂが直流電源２およびバッテリＢ１に接続される。このようにして、制御回路４は、停電が解除されたときに、計測タイマ手段５により計測されたランプ点灯時間に応じて、第１の充電回路３ａまたは第２の充電回路３ｂを選択して直流電源２によりバッテリＢ１を充電させるように制御するものである。
【００３３】
次に、上記実施形態の作用について述べる。
【００３４】
通常時、停電検出手段としてのリレーＲｙ１は付勢されているので、共通接点Ｒｙ１−ｃと常開接点Ｒｙ１−ａが接続され、また、制御回路４内のリレーＲｙ２は消勢されているので、共通接点Ｒｙ２−ｃは常閉接点Ｒｙ２−ｂと接続されている。したがって、バッテリＢ１は直流電源２により第２の充電回路３ｂを介してトリクル充電される。そして、発光ダイオードＬＥＤは発光している。
【００３５】
商用交流電源Ｖｓが停電またはスイッチＳＷ１がオン操作されると、リレーＲｙ１は消勢されて、共通接点Ｒｙ１−ｃは常閉接点Ｒｙ１−ｂと接続される。また、リレーＲｙ１は制御回路４内の図示しないリレー接点を動作させて、制御回路４に停電を検出させる。そして、発光ダイオードＬＥＤは消灯する。そして、バッテリＢ１は点灯回路６と接続され、点灯回路６はバッテリＢ１を電源として動作し蛍光ランプ７を点灯させる。
【００３６】
カウンタＣは蛍光ランプ７の点灯時間、すなわち、バッテリＢ１の放電時間をカウントして時間検出回路８に送出する。時間検出回路８は、カウント数を累計し、カウント数が第１の所定期間以上に相当するときに信号を制御回路４に出力する。時間検出回路８は、カウント数が第１の所定期間に相当しないときには制御回路４に信号を出力しない。
【００３７】
商用交流電源Ｖｓの停電が解除またはスイッチＳＷ１がオフ操作されると、リレーＲｙ１は付勢し、共通接点Ｒｙ１−ｃは常開接点Ｒｙ１−ａと接続される。また、リレーＲｙ１は制御回路４内の図示しないリレー接点を動作させて、制御回路４に停電解除を検出させる。そして、発光ダイオードＬＥＤは直流電源により給電されて点灯する。点灯回路６はバッテリＢ１と接続されなくなり、蛍光ランプ７は消灯する。
【００３８】
蛍光ランプ７の点灯時間が第１の所定期間を経過していないときには、バッテリＢ１の放電は短く、バッテリ容量も十分であるので、直後に再び、停電が発生しても蛍光ランプ７を規定時間の間、正常に点灯させることができる。したがって、時間検出回路８から信号は出力されず、制御回路４はリレーＲｙ２を消勢させた状態とする。その結果、バッテリＢ１は第２の充電回路３ｂに電気接続されて、直流電源２によりトリクル充電される。バッテリＢ１の充電容量は、徐々に回復して満状態となる。
【００３９】
また、蛍光ランプ７の点灯時間が第１の所定期間以上経過しているときには、バッテリＢ１は長時間放電されており、バッテリ容量はかなり少なくなっている。この直後に再び、停電が発生すると、バッテリ容量が不足しているので、蛍光ランプ７を長時間または規定時間の間、正常に点灯させることができなくなる。したがって、バッテリＢ１の放電によりバッテリ容量がかなり少ない場合は、バッテリＢ１を急速に充電してバッテリ容量を回復させる必要がある。このとき、時間検出回路８は、制御回路４に信号を出力する。制御回路４は信号が入力されると、リレーＲｙ２を付勢させると共に、タイマＴ１を動作させる。その結果、バッテリＢ１は第１の充電回路３ａに電気接続されて、直流電源２により急速充電される。この急速充電は、タイマＴ１で設定された第２の所定期間にわたって行われる。第２の所定期間は、バッテリ容量を急速に回復させる期間であり、その期間は、例えば、第１の所定期間の数倍から数十倍の間の任意に設定される。制御回路４は、タイマＴ１が第２の所定期間を計時しタイムアップすると、リレーＲｙ２を消勢させる。その結果、バッテリＢ１は第２の充電回路３ｂに電気接続されて、直流電源２によりトリクル充電されるようになる。
【００４０】
図２は、バッテリＢ１の急速充電およびトリクル充電による充電状態の変化を示す。急速充電直後にバッテリＢ１の充電電圧は満電圧近くまで急速に上昇し、その後、徐々に満電圧まで上昇していく。急速充電直後は、バッテリ容量はかなり少ない状態であるが、その後も急速充電されるので、バッテリ容量は短期間の内に急速に回復する。また、第２の所定期間経過後では、バッテリＢ１はトリクル充電されるので、バッテリ容量が徐々に上昇する。この結果、急速充電期間中に停電が発生しても蛍光ランプ７を長時間または規定時間において、正常に点灯させることができると共に、バッテリＢ１の過充電が防止される。
【００４１】
上述したように、蛍光ランプ７の点灯時間に応じて、バッテリＢ１は直流電源２により急速充電またはトリクル充電されるので、バッテリ容量を短期間の内に回復させることができる。また、蛍光ランプ７の点灯時間が第１の所定期間以上経過しているときには、第２の所定期間にわたってバッテリＢ１を直流電源２により急速充電させ、第２の所定期間経過後はトリクル充電させるので、バッテリ容量を短期間の内に回復させることができると共に過充電を防止できる。さらに、蛍光ランプ７の点灯時間が第１の所定期間を経過していないときには、バッテリＢ１を直流電源２によりトリクル充電させるので、バッテリＢ１は長時間にわたって充電され過充電を防止することができる。
【００４２】
なお、上記実施の形態において、計測タイマ手段５として、時間検出回路８およびカウンタＣを用いたが、これに限らず、例えばタイマであってもよい。そして、タイマの計時に応じて、制御回路４が第１の充電回路３ａまたは第２の充電回路３ｂを選択するリレーＲｙ２の動作を制御すると共に、第２の所定期間を可変できるように構成してもよい。
【００４３】
次に、第２の実施の形態について説明する。
【００４４】
図３は本発明の第２の実施形態を示す非常用照明装置の断面図、図４は同じく外観を示す斜視図である。なお、図１と同一部分には同一符号を付して説明は省略する。
【００４５】
図３，図４に示す非常用照明装置１０は誘導灯である。図３において、照明装置本体１１の内部に図１に示す非常用点灯装置１が配設されている。図中、７は直管形の蛍光ランプ、Ｂ１はバッテリ、ＬＥＤは発光ダイオードを示し、１２は非常用点灯装置１より蛍光ランプ７、バッテリＢ１および発光ダイオードＬＥＤを除去したものを点灯ユニットとしたものである。
【００４６】
照明装置本体１１は、前面に透光開口１３を有する箱状体１４を有し、この箱状体１４の内部に図１に示す非常用点灯装置１が配設され、箱状体１４の前面側には枠状の枠体１５が開閉可能に取り付けられ、枠体１５の周囲には壁面などに先端が当接する突出壁１６を有している。また、枠体１５の内面側には透光パネル１７が支持され、この透光パネル１７には誘導表示１８が施され、箱状体１４の透光開口１３を覆っている。
【００４７】
さらに、枠体１５には反射部１９が、枠体１５の閉塞時に発光ダイオードＬＥＤに対向して枠体１５に設けられた支持部材２０に一体的に取り付けられ、枠体１５の下面に光導出孔２１が開口形成されている。
【００４８】
そして、図４に示すように、照明装置本体１１は、避難口２２などの壁面２３に埋め込まれて避難口２２を表示する。
【００４９】
蛍光ランプ７の点灯時間に応じて、選択的にバッテリＢ１を急速充電またはトリクル充電させる非常用点灯装置１を配設しているので、バッテリ容量を短期間の内に所定の容量に回復させることができる非常用照明装置１０を提供することができる。
【００５０】
【発明の効果】
請求項１の発明によれば、バッテリによるランプ点灯時間が第１の所定期間以上経過しているときには、直流電源によりバッテリを第２の所定期間にわたって急速充電させ、さらにトリクル充電させるので、バッテリ容量を短期間の内に回復させることができるとともに過充電を防止でき、また、ランプ点灯時間が第１の所定期間を経過していないときには、バッテリを直流電源によりトリクル充電させるので、バッテリの過充電を防止することができる。
【００５２】
請求項２の発明によれば、バッテリの充電容量を短期間の内に回復させることができる非常用点灯装置を配設した非常用照明装置を提供することができる。
【図面の簡単な説明】
【図１】本発明の第１の実施形態を示す非常用点灯装置の回路図。
【図２】同じく、バッテリの充電状態の変化を示す説明図。
【図３】本発明の第２の実施形態を示す非常用照明装置の断面図。
【図４】同じく、外観を示す斜視図。
【図５】従来技術の非常用点灯装置の回路図。
【図６】同じく、バッテリの充電状態の変化を示す説明図。
【符号の説明】
Ｂ１……バッテリ
Ｒｙ１…停電検出手段としてのリレー
１………非常用点灯装置
２………直流電源
３………充電回路
３ａ……第１の充電回路
３ｂ……第２の充電回路
４………制御手段としての制御回路
５………計測タイマ手段
６………点灯回路
７………ランプとしての蛍光ランプ
１０……照明装置
１１……照明装置本体
【図１】
0004092606.tif 000002
【図２】
0004092606.tif 000003
【図３】
0004092606.tif 000004
【図４】
0004092606.tif 000005
【図５】
0004092606.tif 000006
【図６】
0004092606.tif 000007